(57)【要約】【課題】ダンパーが開口部周縁の当接部に繰り返し衝突することにより発生する騒音を軽減した浴室暖房機を提供する。【解決手段】浴室の天井に設けられ、前記浴室の空気を排気する換気部及び浴室内を暖房する加熱部が収納された本体と、この本体からの排気を屋外に導く排気ダクトと、本体と排気ダクトとの間に介在し、これらを連結するダクト統合管とを備え、このダクト統合管に屋外からの逆風を防止するダンパー部５６を設けた浴室暖房機において、前記ダンパー部５６は、排気用開口４５ａを有するダンパー外枠５７と排気用開口４５ａを閉止するダンパー５８とを有し、このダンパー５８には閉止時に排気用開口４５ａに沿って内側に位置するリブ６４を設けた。【選択図】      図８
2004184005.tif 000002
【特許請求の範囲】
【請求項１】
浴室の天井に設けられ、前記浴室の空気を排気する換気部及び浴室内を暖房する加熱部が収納された本体と、この本体からの排気を屋外に導く排気ダクトと、本体と排気ダクトとの間に介在し、これらを連結するダクト統合管とを備え、このダクト統合管に屋外からの逆風を防止するダンパー部を設けた浴室暖房機において、
前記ダンパー部は、排気用開口を有するダンパー外枠と排気用開口を閉止するダンパーとを有し、このダンパーには閉止時に排気用開口に沿って内側に位置するリブを設けたことを特徴とする浴室暖房機。
【請求項２】
閉止時に前記ダンパーが当接する排気用開口の周縁部には緩衝材を設けたことを特徴とする請求項１に記載の浴室暖房機。
【発明の詳細な説明】
【０００１】
【発明の属する技術分野】
本発明は、浴室の暖房機能と換気機能とを備えた浴室暖房機に関し、特に屋外からの逆風を防止するダンパーの構造に関する。
【０００２】
【従来の技術】
近年、浴室の暖房を行うとともに、浴室の換気をすることのできる浴室暖房機が提案されている。この浴室暖房機は浴室の天井に据え付けられ、内部に設けられた熱交換器で浴室の空気を加熱する機能と、内部に設けられた換気用送風機及び浴室暖房機に接続される排気ダクトを介して浴室内の空気を屋外へ排気する機能とを備えるものである（例えば、特許文献１参照。）。
【０００３】
そして、この浴室暖房機の排気通路の一開口部にはダンパーが設けられ、このダンパーは浴室内の空気が屋外へ流れるときには前記開口部を開放し、屋外から空気が流れ込むときには前記開口部を閉止して、屋外から流れ込む逆風を防止するものである。
【０００４】
【特許文献１】
特開２００１ー０２１１６７号公報
【０００５】
【発明が解決しようとする課題】
しかしながら、前記ダンパーは、浴室内の空気圧力（以下内圧という）と屋外の空気圧力（以下外圧という）の差に左右され、内圧と外圧との差によっては、圧力差が変動する場合にダンパーが開放閉止を繰り返す現象が起きていた。このため、ダンパーが開口部の周縁の当接部に衝突し、パタパタという騒音を発生するという問題があった。
【０００６】
本発明は上述のような従来の事情に鑑みなされものであり、ダンパーが開口部周縁の当接部に繰り返し衝突することにより発生する騒音を軽減した浴室暖房機を提供することを目的とする。
【０００７】
【課題を解決するための手段】
上記目的を達成するために、請求項１記載の発明は、浴室の天井に設けられ、前記浴室の空気を排気する換気部及び浴室内を暖房する加熱部が収納された本体と、この本体からの排気を屋外に導く排気ダクトと、本体と排気ダクトとの間に介在し、これらを連結するダクト統合管とを備え、このダクト統合管に屋外からの逆風を防止するダンパー部を設けた浴室暖房機において、前記ダンパー部は、排気用開口を有するダンパー外枠と排気用開口を閉止するダンパーとを有し、このダンパーには閉止時に排気用開口に沿って内側に位置するリブを設けたことを特徴とする。
【０００８】
請求項２に記載の発明は、請求項１に記載の浴室暖房機において、閉止時に前記ダンパーが当接する排気用開口の周縁部には緩衝材を設けたことを特徴とする。
【０００９】
【発明の実施の形態】
以下、本発明の一実施形態を図面に基づいて説明する。
【００１０】
先ず、浴室暖房機の据付状態について、図１を参照して説明する。浴室暖房機１０は、浴室の天井に据え付けられた浴室暖房機１０の本体１１と、浴室に隣接する別室の天井に据付けられた吸気口１８と、この吸気口１８に接続された吸気ダクト１４と、本体からの排気を屋外に導く排気ダクト１３と、本体１１と吸気ダクト１４、並びに本体１１と排気ダクト１３との間に介在し、これらを連結するダクト統合管１２と、浴室の空気を加熱する温水を供給する熱源機１５とを有する。
【００１１】
次に浴室暖房機１０の本体１１について、図２から図４を参照して説明する。
【００１２】
本体１１は、浴室の空気を吸気してこれを加熱した後、再度浴室に吹出す加熱部３１、浴室やこの浴室に隣接する別室の空気を換気する換気部３２、加熱部３１や換気部３２を駆動制御する制御部３３、加熱部３１と換気部３２と制御部３３とを収納する本体ケース３４、浴室の空気を吸気して加熱された空気を吹出すともに本体１１の外観部となるグリル２０等を備えている。
【００１３】
グリル２０は、４方の周辺部に第１〜第４吹出口２６〜２９を開閉するように第１〜第４ルーバ２２〜２５を備え、この第１〜第４ルーバ２２〜２５により温風の吹出方向を適当な向きに設定するようになっている。
【００１４】
また、グリル２０の中央部には、裏面にエアフィルタが着脱自在に設けられると共にグリル２０に開閉可能、かつ着脱自在に設けられた、浴室の空気を吸気するパネル３０が設けられている。
【００１５】
本体ケース３４内は、仕切板３５により加熱部３１と換気部３２と制御部３３とに区画されていて、少なくとも制御部３３には浴室の湿度の高い空気が侵入しないようになっている。
【００１６】
加熱部３１は、三辺からなる概略「コ」字状に形成されて、浴室の空気を熱源機１５から循環してきた温水と熱交換させる熱交換器３６、浴室の空気を吸気して熱交換器３６を介して温風として浴室に吹出す循環用送風機３７等により構成されている。
【００１７】
換気部３２は、内部カバー２１に設けられている浴室の換気用空気が吸入される浴室換気吸気口３８、浴室及びこの浴室に隣接する別室の空気を吸気して、ダクト統合管１２を介して排気ダクト１３へと排気する換気用送風機３９、本体ケース３４に接続されたダクト統合管１２（図５を参照）が本体ケース３４から抜けないようにする爪板４０等により構成されている。
【００１８】
次にダクト統合管１２について、図５と図６を参照して説明する。ダクト統合管１２は、本体ケース３４に接続されたダクト接合部４１と、一端がダクト接合部４１に接続された吸気ダクト接続部４４と、ダクト接合部４１に接続された閉塞板４３と、一端がダクト接合部４１に接続された屋外からの逆風を防止するダンパー部５６と、一端がダンパー部５６に接続された排気ダクト接続部４２を有している。
【００１９】
本体ケース３４にダクト統合管１２を取付ける手順は、図５に示すように、先ず本体ケース３４内部から外に手を出し、あらかじめ排気ダクト１３と吸気ダクト１４を接続したダクト統合管１２を把持して本体ケース３４の内側に引込む。その後、爪板４０を差込んでダクト統合管１２を本体ケース３４に固定することにより行われる。
【００２０】
次にダクト接合部４１について、図７を参照して説明する。ダクト接合部４１は、略直方体で内部が二つに区画され、その一方に本体１１から排気される空気が通る排気通路部４５を成し、他方に本体１１へ吸気される空気が通る吸気通路部４６を成すと共に、排気通路部４５及び吸気通路部４６を本体１１に接続する第一の端部７１と、排気通路部４５を排気ダクト１３にダンパー部５６及び排気ダクト接続部４２（図６参照）を介して接続する第二の端部７２と、吸気通路部４６を吸気ダクト１４に吸気ダクト接続部４４を介して接続する第三の端部７３と、吸気通路部４６を吸気ダクト接続部４４に接続可能に構成された第四の端部７４とを有する。
【００２１】
なお、ダクト接合部４１の第一の端部７１に対する、残りの第二から第四の端部７２，７３，７４の構成は、図５の例に限定されるものではなく、様々な条件に合わせて種々に構成してもよい。またダクト接合部４１は、第四の端部７４を備えなくてもよい。
【００２２】
排気ダクト接続部４２は、ダクト接合部４１の第二の端部７２と相対の一端８１を持ち、この一端８１と第二の端部７２を合わせてビスにて締結することにより、ダクト接合部４１に固定され、排気ダクト接続部４２の他端８２に、排気ダクト１３が挿入され、さらにテープで固定される。
【００２３】
また、吸気ダクト接続部４４は、ダクト接合部４１の第三の端部７３と相対の一端８１を持ち、この一端８１と第三の端部７３を合わせてビスにて締結することにより、ダクト接合部４１に固定され、吸気ダクト接続部４４の他端８２に、吸気ダクト１４が挿入され、さらにテープで固定される。
【００２４】
閉塞板４３は、ダクト接合部４１の第四の端部７４に、互いの接続面が相対するように空気が漏れることなく、ビスにて固定される。
【００２５】
また、閉塞板４３と吸気ダクト接続部４４は、たがいに取り替えて使用することができる。このため設置現場で、ダクト接合部４１の第三の端部７３と第四の端部７４の内の、都合のよい端部に吸気ダクト接続部４４を固定することが可能となる。
【００２６】
次に、この浴室暖房機１０の換気用空気の流れについて説明する。浴室の換気用空気は、本体１１のパネル３０から、浴室換気吸気口３８を通って換気用送風機３９に吸い込まれる。また、浴室に隣接する別室の換気用空気は、別室の天井に設けられた吸気口１８から、吸気ダクト１４、吸気ダクト接続部４４、ダクト接合部４１の吸気通路部４６を順に通過し、本体１１の浴室換気吸気口３８を通って換気用送風機３９に吸い込まれる。換気用送風機３９で加速された、浴室と浴室に隣接する別室の換気用空気は、ダクト接合部４１の排気通路部４５、排気ダクト接続部４２、排気ダクト１３を順に通過して、屋外へ排気される。
【００２７】
ここで、ダンパー部５６について、図６、図８、図９を参照して説明する。ダンパー部５６は、ダンパー外枠５７と、ダンパー５８とから構成されている。
【００２８】
ダンパー外枠５７は、排気通路部４５に連通する略四角形の排気用開口４５ａを有し、この開口４５ａの周縁部６１は幅約８ｍｍの「ロ」字状のダンパー当接部（以下単に当接部という）６２が形成され、この当接部６２には当接時の音を軽減するために緩衝材６３が貼付されている。
【００２９】
一方、ダンパー５８は、ダンパー外枠５７の上端部の穴にダンパー５８の軸を挿入することにより、これを支点にして屋外側に開閉する構成で、閉止時の角度を水平面に対して９０度より数度少なく成して自重で閉止する構造となっており、換気用送風機３９の送風によって排気用開口４５ａが開放され、かつ逆風防止の機能を発揮することができる。また、ダンパー５８の本体ケース３４側の面にはＵ字状のリブ６４が設けられている。このリブ６４は、幅１．５ｍｍ、高さ５ｍｍで、閉止時に排気用開口４５ａの少し内側になるように形成されている。
【００３０】
以上のように構成されたダンパー部５６において、内圧と外圧との差が変動してダンパー５８が開放、閉止することがある。ダンパー５８にリブ６４を設けたことにより、ダンパー５８が閉止する直前に、ダンパー５８と周縁部６１との隙間が急に小さくなるので、排気用開口４５ａを通過する空気の流速が急に増す。このため、当接部６２とダンパー５８との間で吸着力が生じ、ダンパー５８が当接部６２に吸い寄せられてはね返す力が小さくなる。これにより、ダンパー５８が早く閉止状態になるので、ダンパー５８が当接部６２に何度も繰り返し衝突して発生するパタパタ音を低減することができる。
【００３１】
以上、一実施形態に基づいて本発明を説明したが、本発明はこれに限定されるものではない。
【００３２】
本実施形態では浴室とこの浴室に隣接する別室の換気も可能な浴室暖房機１０で説明しているが、浴室のみの換気を行う浴室暖房機であっても良い。
【００３３】
また、ダンパー部５６はダクト統合管１２に接続されるようになっているが、本体１１に直接接続するようなものであっても良い。
【００３４】
【発明の効果】
以上説明したように、本発明の浴室暖房機は、換気用の排気通路にダンパーを有しており、このダンパーに開口部の直近の内側に位置するリブを設けたので、ダンパーが閉止する際には、開口部を通過する空気の流速が急に速くなりダンパーが当接部に吸い寄せられる。これにより、ダンパーがはね返る力を小さくすることができ、ダンパーが繰り返し衝突して発生する騒音を低減することができる。
【図面の簡単な説明】
【図１】本発明の一実施形態における浴室暖房機の据付状態を示す概略図である。
【図２】浴室暖房機の外観斜視図である。
【図３】図２の状態からグリルを取り除き内部構成を示す浴室暖房機の斜視図である。
【図４】図３の状態からさらに内部カバーを取り除き内部構成を示す浴室暖房機の斜視図である。
【図５】ダクト統合管、排気ダクト、吸気ダクト及び本体ケースの位置関係を示す分解斜視図である。
【図６】ダクト統合管の分解斜視図である。
【図７】ダクト接合部を示すものであり、図７（Ａ）は、ダクト接合部４１の上面図、図７（Ｂ）は、ダクト接合部４１の正面図、図７（Ｃ）は、ダクト接合部４１の左側面図、図７（Ｄ）は、ダクト接合部４１の右側面図である。
【図８】排気通路開放時のダンパー部を示す斜視図である。
【図９】ダンパーを示すものであり、図９（Ａ）は、本体側の正面図、図９（Ｂ）は、側面図である。
【符号の説明】
１０  浴室暖房機
１１  本体
１２  ダクト統合管
１３  排気ダクト
１４  吸気ダクト
１５  熱源機
１８  吸気口
２０  グリル
３１  加熱部
３２  換気部
３４  本体ケース
３６  熱交換器
３８  浴室換気吸気口
３９  換気用送風機
４１  ダクト接合部
４２  排気ダクト接続部
４４  吸気ダクト接続部
４５  排気通路部
４５ａ  排気用開口
４６  吸気通路部
５６  ダンパー部
５７  ダンパー外枠
５８  ダンパー
６１  周縁部
６２  当接部
６３  緩衝材
６４  リブ
【図１】
2004184005.tif 000003
【図２】
2004184005.tif 000004
【図３】
2004184005.tif 000005
【図４】
2004184005.tif 000006
【図５】
2004184005.tif 000007
【図６】
2004184005.tif 000008
【図７】
2004184005.tif 000009
【図８】
2004184005.tif 000010
【図９】
2004184005.tif 000011